(57)【要約】      （修正有）【課題】相手コネクタと安定的に接続可能なＵＳＢコネクタを提供する。【解決手段】コネクタは、絶縁性本体１と、前記絶縁性本体に固着される複数の導電端子と、光信号を伝送するための光部材とを備える。前記絶縁性本体は、下面から凹んだ収納溝と、前記下面から凹んで前後方向に沿って延在する複数の保持溝と、を含む。前記光部材は、前記収納溝に移動可能な基部３０と、前記基部に挿入されて複数のファイバー３５とを有する。前記基部は前記ファイバーと接続するレンズを有する。前記ファイバーは前記保持溝に保持される中間部と、を有する。【選択図】図４
0003169935.tif 000002
【実用新案登録請求の範囲】
【請求項１】
絶縁性本体と、
前記絶縁性本体に固着される複数の導電端子と、
光信号を伝送するため、前記絶縁性本体に移動可能に取り付けられ、半ボール状の突出部が設けられる光部材と、
前記絶縁性本体に装着される第１端と、前記光部材の突出部に当接する第２端と、を有する弾性部材とを備え、
前記弾性部材が縮められて上下方向或いは横方向に沿って移動する時、前記弾性部材の第２端が前記半ボール状の突出部に対して移動することを特徴とするコネクタ。
【請求項２】
前記光部材には、後向きに突出する突出柱が設けられ、前記半ボール状の突出部が前記突出柱の端部に設けられることを特徴とする請求項１に記載のコネクタ。
【請求項３】
前記絶縁性本体が、上面と、下面と、前記下面から窪む収納溝と、を有し、前記光部材が、前記収納溝に収納される基部と、前記基部に嵌入される複数のファイバーと、を有し、前記突出柱が前記基部の後端の中部から後向きに延在することを特徴とする請求項２に記載のコネクタ。
【請求項４】
前記絶縁性本体には、前記下面から窪む凹部と、前記凹部内に位置して前向きに延在する凸柱と、が設けられ、前記弾性部材の第１端が前記凸柱に装着され、前記突出柱と前記凸柱とは、同一直線上に配置されることを特徴とする請求項２又は３に記載のコネクタ。
【請求項５】
前記絶縁性本体は、前記収納溝と前記凹部との間に形成され、前記収納溝と前記凹部との間に前後方向に沿って延在して前記収納溝と前記凹部とにそれぞれ連通する位置決め溝が形成され、前記弾力部材が、前記第１端と第２端との間に設けられると共に前記位置決め溝に収納される中間部を有することを特徴とする請求項４に記載のコネクタ。
【請求項６】
前記光部材は、基部と、前記基部に挿入される複数のファイバーと、を有し、前記基部には、一対のレンズと、前記一対のレンズに対応する一対の接続孔と、が設けられ、前記絶縁性本体には、前記凹部の両側に位置し、前記一対の接続孔と同一直線上に配置される一対の第１溝部とが形成され、前記ファイバーは、前記接続孔に収納される接続部と、前記第１溝部に収納される保持部と、を有することを特徴とする請求項４及び５に記載のコネクタ。
【請求項７】
前記絶縁性本体には、前記下面から窪んで、前記一対の第１溝部の後方に位置して、前記一対の第１溝部に連通する第２溝部が形成され、前記第２溝部の幅が、前記一対の第１溝部の幅より大きく、前記ファイバーには、前記第２溝部に部分的に収容可能な保持部が設けられることを特徴とする請求項６に記載のコネクタ。
【請求項８】
前記絶縁性本体は、主体部と、前記主体部から前向きに突出する舌板と、を有し、前記導電端子が、ＵＳＢ３．０の規格に準拠した四つの第１端子と五つの第２端子とを備えることを特徴とする請求項１から７の何れか一項に記載のコネクタ。
【考案の詳細な説明】
【技術分野】
【０００１】
本考案は、コネクタに関し、特に、位置調節可能な光部材を有するＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、光信号を伝送するための光部材と、前記光部材と前記絶縁性本体との間に配置されるバネ体と、前記絶縁性本体を収容するハウジングとを備える。前記絶縁性本体は、本体部と、本体部から突出する舌板と、を備える。前記絶縁性本体には、下面から窪む収納溝と、前記収納溝の後方に位置する凹溝と、前記凹溝に位置して前向きに突出する凸柱と、が形成される。前記光部材は、前記収納溝に移動可能な基部と、前記基部に固着される複数の光ファイバーと、を有する。前記基部には、後向きに延在する突出柱が設けられる。前記バネ体は、一端が前記凸柱に装着され、他端が前記突出柱に装着される。前記コネクタが相手コネクタと電気的に接続する時、前記基部が前記相手コネクタによって後向きに押圧され、前記バネ体が縮められる。
【先行技術文献】
【特許文献】
【０００３】
【特許文献１】中国実用新案第２０１４３８２２５Ｙ号明細書
【考案の概要】
【考案が解決しようとする課題】
【０００４】
上述したように縮められたバネ体が、上下方向或いは横方向に移動すると、コネクタのファイバーと相手コネクタのファイバーとの安定した接続が確保できず、光信号が消耗される。
【０００５】
そこで本考案は、上述される従来技術の問題に鑑み、相手コネクタと安定して接続可能なＵＳＢコネクタを提供することを目的とする。
【課題を解決するための手段】
【０００６】
前記目的を達成するために、本考案のコネクタは、絶縁性本体と、前記絶縁性本体に固着される複数の導電端子と、弾性部材と、光信号を伝送するための光部材とを備える。前記光部材は、前記絶縁性本体に移動可能に取り付けられ、半ボール状の突出部が設けられる。前記弾性部材は、前記絶縁性本体に装着される第１端と、前記光部材の突出部に当接する第２端と、を有する。前記弾性部材が縮められて上下方向或いは横方向に沿って移動する時、前記弾性部材の第２端が前記半ボール状の突出部に対して移動する。
【考案の効果】
【０００７】
従来技術と比べると、本考案は以下の長所を有する。本考案のコネクタでは、弾性部材の第２端が半ボール状の突出部に対して移動し、前記光部材の移動を導かないので、コネクタの光部材を相手コネクタに安定的に接続できる。これにより、光信号伝送の消耗が減少する。
【図面の簡単な説明】
【０００８】
【図１】本考案のコネクタの組立斜視図である。
【図２】図１に示すコネクタの部分分解斜視図である。
【図３】図２に示すコネクタの別の角度から見た部分分解斜視図である。
【図４】図３に示す蓋板が絶縁性本体に取り付けられていない時の斜視図である。
【図５】図１に示すケーブルとハウジングとを含まないコネクタの分解斜視図である。
【図６】別の角度から見た図５の分解斜視図である。
【考案を実施するための形態】
【０００９】
図１〜図６を参照すると、本考案のコネクタ１００は、絶縁性本体１と、固持柱１０１が設けられる蓋板１０と、前記絶縁性本体１に固着される複数の導電端子２と、前記絶縁性本体１に装着される光部材３と、絶縁性本体１と光部材３との間に装着されるバネ体４と、前記絶縁性本体１に固着されると共に複数の端子孔５１が形成されたベース５と、前記ベース５に装着される固定部材６と、前記絶縁性本体１を収容するハウジング７と、前記ハウジング７を被覆する絶縁性部材８と、前記導電端子２及び光部材３に接続されるケーブル９と、を備える。
【００１０】
図２〜図６に示すように、絶縁性本体１は、上面１１と下面１２とを有する。絶縁性本体１は、主体部１３と、前記主体部１３から前向きに突出する舌板１４と、を備える。前記主体部１３の上面１１には、前記ベース５に対応する収納スペース１３２が形成される。
【００１１】
前記主体部１３の下面１２には、複数の端子溝１３１が形成される。舌板１４の下面１２には、収納溝１４１が形成される。前記収納溝１４１の後方には、前記収納溝１４１に連通するフロート溝１４２と、前記フロート溝１４２の後方に位置して前記フロート溝１４２に連通する凹部１４４と、が形成される。前記フロート溝１４２には、断面視湾曲線状の位置決め溝１４２１が形成される。前記位置決め溝１４２１は、前記収納溝１４１と前記凹部１４４との間に前後方向に沿って延設され、前記収納溝１４１と凹部１４４とにそれぞれ連通し、バネ体４の横方向の移動を制限する。
【００１２】
前記絶縁性本体１の下面１２には、前後方向に沿って延在して前記収納溝１４１に連通する複数の保持溝１４３が形成される。各保持溝１４３は、前記フロート溝１４２の後方に形成される一対の細長い第１溝部１４３１と、前記一対の第１溝部１４３１の後方に形成されて前記一対の第１溝部１４３１に連通する第２溝部１４３２と、を有する。前記一対の第１溝部１４３１は、前記凹部１４４の両側に位置し、前記前後方向に沿って延在して前記フロート溝１４２に連通し、後述する接続孔３３に対応する。この実施形態において、第２溝部１４３２の幅が、二つの第１溝部１４３１の幅よりも大きい。他の実施形態において、第２溝部１４３２の幅は、一つの第１溝部１４３１の幅よりも大きい、或いは、二つの第１溝部１４３１の幅と同じである。前記フロート溝１４２の幅は、前記収納溝１４１の幅よりも小さく、第１溝部１４３１及び第２溝部１４３２の幅より大きい。前記凹部１４４内には、前向きに延在する凸柱１４４１が設けられる。
【００１３】
前記絶縁性本体１には、前記下面１２から窪んで、前記収納溝１４１の後方に位置して前記蓋板１０を収納するための窪み部１４６が形成される。前記窪み部１４６の深さは、前記収納溝１４１、前記フロート溝１４２、前記凹部１４４、及び前記第１溝部１４３１の各深さよりも浅い。前記窪み部１４６は、前後方向に沿って前記収納溝１４１に連通し、上下方向に沿って前記フロート溝１４２と前記凹部１４４と前記第１溝部１４３１とに連通する。前記蓋板１０には、前記凹部１４４に対応すると共に蓋板１０の前方側の縁部から後方に向かって延在するスリット１０２が形成される。バネ体４は、前記凸柱１４４１に装着された後、上下方向に沿って移動できる。前記収納溝１４１には、一対の凸状部片１４７と、前記一対の凸状部片１４７の間に位置する係止部１４５と、が設けられる。
【００１４】
前記バネ体４は、コイルバネであり、第１端４１と、第１端４１の前方に位置する第２端４２と、前記第１端４１及び第２端４２の間に設けられる中間部４３と、を有する。
【００１５】
前記導電端子２は、ＵＳＢ３．０の規格に準拠した四つの第１端子２１と五つの第２端子２２とを備える。各第１端子２１は、第１接触部２１１と、第１尾部２１２とを有する。各第２端子２２は、第２接触部２２１と、第２固定部２２２と、第２尾部２２３とを有する。
【００１６】
光部材３は、基部３０と、基部３０に取り付けられる複数のファイバー３５と、を備える。前記基部３０には、前記係止部１４５に対応する“Ｖ”字状の係止孔３１と、係止孔３１の両側に設けられる一対のレンズ３２と、前記一対のレンズ３２に対応する一対の接続孔３３と、一対の対応孔３４と、を有する。前記基部３０の後端の中間には、後向きに突出する突出柱３６が設けられる。突出柱３６の後端には、半ボール状の突出部３６１が設けられる。一対の接続孔３３は、一対の第１溝部１４３１と同一直線上に配置される。
【００１７】
各ファイバー３５には、光部材３の接続孔３３に挿入される接続部３５１と、前記接続部３５１から後向きに延在して前記フロート溝１４２に収納されるフロート部３５５と、前記フロート部３５５から後向きに延在して前記第１溝部１４３１に保持される保持部３５２と、前記保持部３５２から後向きに延在して第２溝部１４３２の収納される湾曲部３５３と、前記湾曲部３５３から後向きに延在して前記ケーブル９と電気接続する尾部３５４とを備える。
【００１８】
ハウジング７は、上ハウジング７１と、下ハウジング７２とを有する。上ハウジング７１は、底壁７１１と、頂壁７１２と、一対の側壁７１３とを有する。底壁７１１の前端には光部材３の下部に当接する複数の凸状部片７５が設けられる。
【００１９】
コネクタ１００を組み立てる時、先ず、四つの第１端子２１をインサート品として絶縁性本体１をインサートモールドによって成型する。このとき、第１端子２１の第１尾部２１２が、絶縁性本体１の端子溝１３１に挿入される。次いで、五つの第２端子２２をベース５の端子孔５１に挿入する。また、ベース５を絶縁性本体１の収納スペース１３２に嵌入させる。また、第２端子２２の第２接触部２２１を、絶縁性本体１の端子溝１４８に嵌入させる。さらに、固定部材６をベース５に固着させる。
【００２０】
前記光部材３は、絶縁性本体１の収納溝１４１に移動可能に収納させる。前記光部材３の複数のファイバー３５の接続部３５１をそれぞれ前記接続孔３３に挿入して前記レンズ３２と接続することで、高速光信号の伝送を実現する。前記基部３０の係止孔３１は、絶縁性本体１の係止部１４５と係合する。前記光部材３のファイバー３５の保持部３５２が、前記第１溝部１４３１に保持され、湾曲部３５３が第２溝部１４３２に収納され、前記フロート部３５５が前記フロート溝１４２に収納される。
【００２１】
前記凸柱１４４１と突出柱３６とは、同一直線上に配置される。前記バネ体４は、第１端４１が絶縁性本体１の凸柱１４４１に装着され、第２端４２が前記半ボール状の突出部３６１に当接され、中間部４３が前記位置決め溝１４２１に収納される。前記コネクタ１００が相手コネクタに押圧されると、前記バネ体４が、縮められて横方向或いは上下方向に移動する。この時、バネ体４の第２端４２が半ボール状の突出部３６１に対して移動するので、前記光部材３の移動が導かれない。この実施形態において、前記レンズ３２が、前記基部３０に装着される。他の実施形態において、前記基部３０とレンズ３２とは、同じ材料によって製造される。
【００２２】
前記蓋板１０が前記絶縁性本体１の窪み部１４６に収納され、ファイバー３５の底部を被覆する。ハウジング７は、絶縁性本体１を遮蔽する。
【００２３】
コネクタ１００が相手コネクタと接続する時、コネクタ１００の光部材３の対応孔３４は相手コネクタの柱状部と対応する。対応孔３４の寸法が相手コネクタの柱状部と対応しない時、光部材３の基部３０は、バネ体４によって前後方向沿って移動し、位置調節する。同時に、ファイバー３５の保持部３５２が前記第１溝部１４３１内を前後方向に沿って移動する。第２溝部１４３２の幅が第１溝部１４３１の幅より大きいことによって、前記ファイバー３５の保持部３５２が、湾曲して第２溝部１４３２に部分的に収容できる。前記光部材３は、前記バネ体４によって移動できる。又、コネクタ１００が相手コネクタと接続する時、前記バネ体４が、縮められて横方向或いは上下方向に移動する。この時、バネ体４の第２端４２は、半ボール状の突出部３６１に対して移動するので、前記光部材３の移動が導かれない。これにより、コネクタのファイバー３５と相手コネクタとを安定的に接続でき、光信号伝送の消耗が減少する。    
【００２４】
相手コネクタが抜き出す時、基部３０がバネ体４によって前向きに移動する。このとき、前記バネ体４の第２端４２が前記突出部３６１に沿って移動し、また、係止部１４５が係止孔３１と係合する。係止部１４５によって、光部材３が収納溝１４１から離れることを防止できるとともに、光部材３が位置決めされる。また、基部３０が上ハウジング７の凸状部片７５と絶縁性本体１の凸状部片１４７に当接する。
【００２５】
光部材３が押圧される時、ファイバー３５が前記第１溝部１４３１において前記基部３０を規制する。これにより、光部材３が相手コネクタのファイバーと安定的に接続することが確保される。又、前記ファイバー３５の湾曲部３５３によって、ファイバー３５が過度に抜き出すことを防止できる。
【００２６】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２７】
１００  コネクタ
１  絶縁性本体
１０  蓋板
１０１  固持柱
１０２  スリット
１１  上面
１２  下面
１３  主体部
１３１  端子溝
１３２  収納スペース
１４  舌板
１４１  収納溝
１４２  フロート溝
１４２１  位置決め溝
１４３  保持溝
１４３１  第１溝部
１４３２  第２溝部
１４４  凹部
１４４１  凸柱
１４５  係止部
１４６  窪み部
１４７  凸状部片
２  導電端子
２１  第１端子
２１１  第１接触部
２１２  第１尾部
２２  第２端子
２２１  第２接触部
２２２  第２固定部
２２３  第２尾部
３  光部材
３０  基部
３１  係止孔
３２  レンズ
３３  接続孔
３４  対応孔
３５  光ファイバー
３５１  接続部
３５２  保持部
３５３  湾曲部
３５４  尾部
３６  突出柱
３６１  突出部
４  バネ体
４１  第１端
４２  第２端
４３  中間部
５  ベース
５１  端子孔
６  固定部材
７  ハウジング
７１  上ハウジング
７１１  底壁
７１２  頂壁
７１３  側壁
７２  下ハウジング
７５  凸状部片
８  絶縁性部材
９  ケーブル
【図１】
0003169935.tif 000003
【図２】
0003169935.tif 000004
【図３】
0003169935.tif 000005
【図４】
0003169935.tif 000006
【図５】
0003169935.tif 000007
【図６】
0003169935.tif 000008